(57)【要約】【課題】  ユーザの所望するデータを上書き対象とし、かつ、ユーザに必要とされる操作をより簡便なものとした、データ記録再生装置およびデータ記録再生方法を提供する。【解決手段】  情報記録再生装置１００は、チューナ１１の受信した映像データを、ハードディスク装置１２で記録すると共に、当該データを再生させて、ディスプレイ装置２００に表示させることができる。ハードディスク装置１２に記録されている番組の一覧が表示されたとき、ユーザは、操作装置２２によって番組を指定することができる。ユーザが、番組を指定した後、操作装置２２の再生キーを操作すれば、当該指定された番組が再生され、操作装置２２の録画キーを操作すれば、当該指定された番組が上書きされることによりチューナ１１の受信した映像データがハードディスク装置１２に記録される。【選択図】        図１
2005149637.tif 000002
【特許請求の範囲】
【請求項１】
情報を入力するために操作される操作手段と、
映像データを受信する受信手段と、
映像データを番組ごとにファイルとして記録するファイル記録手段と、
前記ファイルを再生する再生手段と、
前記ファイル記録手段へ前記受信手段の受信した映像データを記録する記録制御手段と、
前記ファイル記録手段に記録されたファイルの情報を記憶する情報記憶手段と、
前記情報記憶手段に記憶されたファイルの情報に基づいて、前記ファイル記録手段に記録されたファイルの一覧を所定の表示装置に表示させるファイル情報表示手段と、
前記ファイル情報表示手段によって表示された前記ファイルの一覧を用いて、前記ファイル記録手段に記録されたファイルの中のファイルを指定するファイル指定手段とを備え、
前記ファイル指定手段によりファイルの指定がなされたときに、前記操作手段が第１の態様で操作された場合には、前記再生手段が当該指定されたファイルを再生し、前記操作手段が前記第１の態様とは異なる第２の態様で操作された場合には、前記記録制御手段が前記ファイル記録手段へ前記受信手段の受信する映像データを当該指定されたファイルに上書きすることによって記録する、データ記録再生装置。
【請求項２】
情報を入力するために操作される操作手段と、
映像データを受信する受信手段と、
映像データを番組ごとにファイルとして記録するファイル記録手段と、
前記ファイル記録手段に記録されたファイルの中からファイルを指定するファイル指定手段と、
前記ファイルを再生する再生手段と、
前記ファイル記録手段へ前記受信手段の受信した映像データを記録する記録制御手段とを備え、
前記ファイル指定手段によりファイルの指定がなされたときに、前記操作手段が第１の態様で操作された場合には、前記再生手段が当該指定されたファイルを再生し、前記操作手段が前記第１の態様とは異なる第２の態様で操作された場合には、前記記録制御手段が前記ファイル記録手段へ前記受信手段の受信する映像データを当該指定されたファイルに上書きすることによって記録する、データ記録再生装置。
【請求項３】
前記ファイル記録手段に記録されたファイルの情報を記憶する情報記憶手段と、
前記情報記憶手段に記憶されたファイルの情報に基づいて、前記ファイル記録手段に記録されたファイルの一覧を所定の表示装置に表示させるファイル情報表示手段とをさらに備え、
前記ファイル指定手段は、前記ファイル情報表示手段によって表示された前記ファイルの一覧を用いて、前記ファイルの指定を行なう、請求項２に記載のデータ記録再生装置。
【請求項４】
情報を入力するために操作される操作手段と、映像データを番組ごとにファイルとして記録するファイル記録手段とを備えるデータ記録再生装置におけるデータ記録再生方法であって、
映像データを受信するステップと、
前記ファイル記録手段に記録されたファイルの情報を記憶するステップと、
前記記憶されたファイルの情報に基づいて、前記ファイル記録手段に記録されたファイルの一覧を所定の表示装置に表示させるステップと、
前記表示されたファイルの一覧を用いて、前記ファイル記録手段に記録されたファイルの中のファイルを指定するステップと、
前記ファイルの指定がなされたときに、前記操作手段が第１の態様で操作された場合には、前記指定されたファイルを再生し、前記操作手段が前記第１の態様とは異なる第２の態様で操作された場合には、前記ファイル記録手段へ前記受信された映像データを当該指定されたファイルに上書きすることによって記録するステップとを備える、データ記録再生方法。
【請求項５】
情報を入力するために操作される操作手段と、映像データを番組ごとにファイルとして記録するファイル記録手段とを備えるデータ記録再生装置におけるデータ記録再生方法であって、
映像データを受信するステップと、
前記ファイル記録手段に記録されたファイルの中からファイルを指定するステップと、
前記ファイルの指定がなされたときに、前記操作手段が第１の態様で操作された場合には、前記指定されたファイルを再生し、前記操作手段が前記第１の態様とは異なる第２の態様で操作された場合には、前記ファイル記録手段へ前記受信された映像データを当該指定されたファイルに上書きすることによって記録する、データ記録再生方法。
【請求項６】
前記ファイル記録手段に記録されたファイルの情報を記憶するステップと、
前記記憶されたファイルの情報に基づいて、前記ファイル記録手段に記録されたファイルの一覧を所定の表示装置に表示させるステップとをさらに備え、
前記ファイルを指定するステップでは、前記表示されたファイルの一覧を用いて、前記ファイルの指定が行なわれる、請求項５に記載のデータ記録再生方法。
【発明の詳細な説明】
【技術分野】
【０００１】
本発明は、データ記録再生装置およびデータ記録再生方法に関し、特に、記録されたデータの上書きに際して、上書きの対象となるデータを選択する操作および上書きを行なう旨の操作が容易に行なえるデータ記録再生装置およびデータ記録再生方法に関する。
【背景技術】
【０００２】
従来から、データ記録再生装置における記録したデータの上書きについて、すでに記憶されており上書きの対象となるデータをより簡便に選択するための技術が、種々、開示されてきた。
【０００３】
たとえば、特許文献１には、音声記録再生装置において、予め記録されたオーディオファイルを消去する順番を設定可能とし、音声データの記録中に記録領域が不足した場合には、設定されている順番にファイルを上書きする技術が開示されている。
【０００４】
また、特許文献２には、番組記憶装置において、放送情報を記憶する放送情報記憶部の記憶容量がなくなったとき、記憶した順番、現在時刻に最も近い時刻に記憶した順番、または、すでに記憶されている放送情報に対して予め記憶された重要度の順位にしたがって、放送情報の上書きを行なう技術が開示されている。
【特許文献１】特開２００２−３４１８９８公報
【特許文献２】特開２０００−３３３３５９公報
【発明の開示】
【発明が解決しようとする課題】
【０００５】
しかしながら、特許文献１に開示された技術では、ユーザは、予め、ファイルを消去する順番を設定するという煩雑な操作を必要とされるため、操作の簡便化について考慮が必要であった。また、特許文献２に開示された技術では、重要度の順位を予め記憶させなければならない点では、特許文献１と同様の考慮を必要としていた。
【０００６】
なお、特許文献２に開示された技術において、すでに記憶されている番組情報を、記憶した順番、または、現在時刻に近い時刻に記憶した順番に上書きの対象とする場合には、ユーザに、上記のような煩雑な作業を必要とされることはなかった。ただし、記憶されている情報において、このような順番が、必ずしもユーザが消去を望む順番であるとは限らない。
【０００７】
つまり、従来の技術では、ユーザの所望の態様で上書き対象とするデータを選択するためには、ユーザに、煩雑な操作を必要としたという問題があった。
【０００８】
本発明は、かかる実情に鑑み考え出されたものであり、その目的は、ユーザの所望するデータを上書き対象とし、かつ、ユーザに必要とされる操作をより簡便なものとした、データ記録再生装置およびデータ記録再生方法を提供することである。
【課題を解決するための手段】
【０００９】
本発明のある局面に従ったデータ記録再生装置は、情報を入力するために操作される操作手段と、映像データを受信する受信手段と、映像データを番組ごとにファイルとして記録するファイル記録手段と、前記ファイルを再生する再生手段と、前記ファイル記録手段へ前記受信手段の受信した映像データを記録する記録制御手段と、前記ファイル記録手段に記録されたファイルの情報を記憶する情報記憶手段と、前記情報記憶手段に記憶されたファイルの情報に基づいて、前記ファイル記録手段に記録されたファイルの一覧を所定の表示装置に表示させるファイル情報表示手段と、前記ファイル情報表示手段によって表示された前記ファイルの一覧を用いて、前記ファイル記録手段に記録されたファイルの中のファイルを指定するファイル指定手段とを備え、前記ファイル指定手段によりファイルの指定がなされたときに、前記操作手段が第１の態様で操作された場合には、前記再生手段が当該指定されたファイルを再生し、前記操作手段が前記第１の態様とは異なる第２の態様で操作された場合には、前記記録制御手段が前記ファイル記録手段へ前記受信手段の受信する映像データを当該指定されたファイルに上書きすることによって記録することを特徴とする。
【００１０】
本発明のある局面に従うと、ファイル記録手段に記録されたファイルを再生させるときと同様の態様で指定し、そして、操作手段を再生させるための第１の態様とは異なる第２の態様で操作すれば、そのまま、指定されたファイルを、上書きの対象となるファイルとして、映像データを記録できる。また、ユーザは、上書きの対象となるファイルの指定を、ファイルの一覧表示を見ながら行なえる。
【００１１】
本発明の他の局面に従ったデータ記録再生装置は、情報を入力するために操作される操作手段と、映像データを受信する受信手段と、映像データを番組ごとにファイルとして記録するファイル記録手段と、前記ファイル記録手段に記録されたファイルの中からファイルを指定するファイル指定手段と、前記ファイルを再生する再生手段と、前記ファイル記録手段へ前記受信手段の受信した映像データを記録する記録制御手段とを備え、前記ファイル指定手段によりファイルの指定がなされたときに、前記操作手段が第１の態様で操作された場合には、前記再生手段が当該指定されたファイルを再生し、前記操作手段が前記第１の態様とは異なる第２の態様で操作された場合には、前記記録制御手段が前記ファイル記録手段へ前記受信手段の受信する映像データを当該指定されたファイルに上書きすることによって記録することを特徴とする。
【００１２】
本発明の他の局面に従うと、ファイル記録手段に記録されたファイルを再生させるときと同様の態様で指定し、そして、操作手段を再生させるための第１の態様とは異なる第２の態様で操作すれば、そのまま、指定されたファイルを、上書きの対象となるファイルとして、映像データを記録できる。
【００１３】
また、本発明に従ったデータ記録再生装置は、前記ファイル記録手段に記録されたファイルの情報を記憶する情報記憶手段と、前記情報記憶手段に記憶されたファイルの情報に基づいて、前記ファイル記録手段に記録されたファイルの一覧を所定の表示装置に表示させるファイル情報表示手段とをさらに備え、前記ファイル指定手段は、前記ファイル情報表示手段によって表示された前記ファイルの一覧を用いて、前記ファイルの指定を行なうことが好ましい。
【００１４】
これにより、ユーザは、上書きの対象となるファイルの指定を、ファイルの一覧表示を見ながら行なえる。
【００１５】
本発明の或る局面に従ったデータ記録再生方法は、情報を入力するために操作される操作手段と、映像データを番組ごとにファイルとして記録するファイル記録手段とを備えるデータ記録再生装置におけるデータ記録再生方法であって、映像データを受信するステップと、前記ファイル記録手段に記録されたファイルの情報を記憶するステップと、前記記憶されたファイルの情報に基づいて、前記ファイル記録手段に記録されたファイルの一覧を所定の表示装置に表示させるステップと、前記表示されたファイルの一覧を用いて、前記ファイル記録手段に記録されたファイルの中のファイルを指定するステップと、前記ファイルの指定がなされたときに、前記操作手段が第１の態様で操作された場合には、前記指定されたファイルを再生し、前記操作手段が前記第１の態様とは異なる第２の態様で操作された場合には、前記ファイル記録手段へ前記受信された映像データを当該指定されたファイルに上書きすることによって記録するステップとを備えることを特徴とする。
【００１６】
本発明の他の局面に従ったデータ記録再生方法は、情報を入力するために操作される操作手段と、映像データを番組ごとにファイルとして記録するファイル記録手段とを備えるデータ記録再生装置におけるデータ記録再生方法であって、映像データを受信するステップと、前記ファイル記録手段に記録されたファイルの中からファイルを指定するステップと、前記ファイルの指定がなされたときに、前記操作手段が第１の態様で操作された場合には、前記指定されたファイルを再生し、前記操作手段が前記第１の態様とは異なる第２の態様で操作された場合には、前記ファイル記録手段へ前記受信された映像データを当該指定されたファイルに上書きすることによって記録することを特徴とする。
【００１７】
また、本発明に従ったデータ記録再生方法は、前記ファイル記録手段に記録されたファイルの情報を記憶するステップと、前記記憶されたファイルの情報に基づいて、前記ファイル記録手段に記録されたファイルの一覧を所定の表示装置に表示させるステップとをさらに備え、前記ファイルを指定するステップでは、前記表示されたファイルの一覧を用いて、前記ファイルの指定が行なわれることが好ましい。
【発明の効果】
【００１８】
本発明によると、上書きの対象とするデータの指定するための操作と上書きを実行させるための操作を一連の操作として行なうことができる。したがって、データ記録再生装置において、ユーザの所望するデータを上書き対象とし、かつ、ユーザに必要とされる操作をより簡便なものとすることができる。
【００１９】
また、本発明によると、ユーザは、上書きの対象となるデータの指定を、データ（ファイル）の一覧表示を見ながら行なえるため、上書き対象となるデータの指定を容易に行なうことができる。
【発明を実施するための最良の形態】
【００２０】
以下、図面を参照しつつ、本発明の実施の形態を説明する。
【００２１】
図１は、本発明のデータ記録再生装置の一実施の形態である情報記録再生装置１００の構成を示す図である。
【００２２】
情報記録再生装置１００は、当該情報記録再生装置１００の全体的な動作を制御するシステム制御回路１０と、当該システム制御回路１０が時刻をチェックするためのタイマ２３とを、備えている。
【００２３】
また、情報記録再生装置１００において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２に供給する。また、チューナ１１は、システム制御回路１０からアナログテレビジョン放送(ＮＴＳＣ（National Television Standards Committee）方式、ＰＡＬ（Phase Alternation by Line）方式、またはＳＥＣＡＭ（SEquential Couleur A Memoire）方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００２４】
ハードディスク装置１２は、再生ＭＰＥＧ信号ＲＭをＭＰＥＧデコーダ１７に供給する。ＭＰＥＧデコーダ１７は、ハードディスク装置１２から供給されたＭＰＥＧ信号に対してＭＰＥＧ復号処理を施すことにより、映像信号を得てこれを映像信号ＤAVとしてセレクタ１８に供給する。
【００２５】
ＯＳＤ(On Screen Display)画像生成回路１９は、システム制御回路１０から供給された各種メッセージ表示指令に応じた画像を表示させるべきメッセージ画像信号ＤC を生成し、これをセレクタ１８に供給する。セレクタ１８は、上記映像信号ＤAVおよびメッセージ画像信号ＤC の中から、システム制御回路１０から供給された選択信号に応じた方を択一的に選択し、これをディスプレイ装置２００に供給する。
【００２６】
ディスプレイ装置２００は、情報記録再生装置１００から供給された上記映像信号ＤAV、またはメッセージ画像信号ＤC に基づく画像表示を行なう。
【００２７】
操作装置２２は、ユーザからの、放送チャンネルを指定する操作、録画済みファイルの中から再生するファイルを指定する操作等、各種の操作を受付け、その操作に応じた各種操作信号をシステム制御回路１０に供給する。なお、操作装置２２は、たとえば、情報記録再生装置１００の本体筐体とは分離しているリモートコントローラからなる。なお、操作装置２２は、必ずしも、情報記録再生装置１００の本体筐体と分離している必要はなく、また、当該本体筐体と分離している部分と当該本体筐体と一体的に構成される部分とを含むように構成されてもよい。
【００２８】
図２に、操作装置２２の平面図を示す。
【００２９】
操作装置２２は、放送チャンネルの指定等において０〜９の各数字を入力するために利用されるテンキー２２９と、後述するタイムシフト再生と録画済みファイルの再生の切替えを行なうために操作される切替えキー２２０を含む。また、操作装置２２は、録画済みのファイルの再生において、再生位置の早送り／巻戻しを行なうために操作される早送りキー２２８／巻戻しキー２２７と、再生動作を開始／停止／一時停止させるために操作される再生キー２２４／停止キー２２５／一時停止キー２２６とを含む。さらに、操作装置２２は、情報記録再生装置１００への電源の投入のＯＮ／ＯＦＦを切替える電源キー２２１と、ユーザが画面等に表示されている内容を決定する意思を入力するために操作される決定キー２２２と、録画動作を行なわせるために操作される録画キー２２３とを含む。
【００３０】
図３に、ハードディスク装置１２のハードディスク１２０の記憶領域の内容を模式的に示す。
【００３１】
ハードディスク１２０は、リングバッファであるタイムシフト領域１２１と、情報を長期記録するための録画領域１２２とを含む。なお、ハードディスク１２０におけるタイムシフト領域１２１と録画領域１２２の領域の大きさは、たとえば、ユーザにより操作装置２２を介して入力された情報に基づいて決定される。また、ハードディスク１２０において、タイムシフト領域１２１の位置および録画領域１２２の位置は、システム制御回路１０内のメモリ１０Ａに、各領域のアドレスが記録されることにより管理されている。
【００３２】
情報記録再生装置１００は、録画動作、タイムシフト再生動作、および、録画済みファイルの再生動作を実行する。録画動作とは、チューナ１１にて受信して得られた上記ＭＰＥＧ信号Ｍ１またはＭ２を、記録領域１２２に記録する動作である。タイムシフト再生動作は、上記ＭＰＥＧ信号Ｍ１またはＭ２をタイムシフト領域１２１に記録し、タイムシフト領域１２１に記録された信号を再生ＭＰＥＧ信号ＲＭとして再生し、当該信号をＭＰＥＧデコーダ１７に供給してディスプレイ装置２００で映像を表示させる動作である。
【００３３】
なお、システム制御回路１０は、チューナにて受信して得られた上記ＭＰＥＧ信号Ｍ１またはＭ２から、ビットレートに応じた記録速度信号ＳW を求め、これを内蔵レジスタ（メモリ１０Ａ内の図示せぬレジスタ）に記憶させると共に、当該記録速度信号ＳW に応じた速度で、ピックアップ装置１２００を動作させて、タイムシフト領域１２１または記録領域１２２に、信号を記録する。
【００３４】
そして、録画済みファイル再生動作とは、録画領域１２２に記録された信号を、再生ＭＰＥＧ信号ＲＭとして再生し、ＭＰＥＧデコーダ１７に供給してディスプレイ装置２００で映像を表示させる動作である。
【００３５】
図４に、情報記録再生装置１００においてタイムシフト再生が行なわれる際の、ハードディスク１２０における記録位置および再生位置を模式的に示す。
【００３６】
タイムシフト再生では、ハードディスク１２０のタイムシフト領域１２１のライトポイントＷＰに対して録画動作が行なわれ、リードポイントＲＰに対して再生動作が行なわれる。タイムシフト領域１２１は、リングバッファにより構成されるため、タイムシフト再生における録画動作は、タイムシフト領域１２１の最後まで行なわれても、当該タイムシフト領域１２１を繰返し用いるように行なわれる。情報記録再生装置１００では、このようなタイムシフト再生が行なわれているときに、切替えキー２２０を操作されると、録画領域１２２に録画された番組が再生されるようになる。
【００３７】
なお、図４では、録画領域１２２において、領域１２２Ａ，１２２Ｂ，１２２Ｃ，…１２２Ｎという、Ｎ個のファイルが記録されている状態が示されている。ファイルとは、１つの番組ごとの映像データを言う。１つの番組とは、一度録画動作が開始されてから当該録画動作が終了するまでに記録された映像データを対象とするものである。
【００３８】
システム制御回路１０は、その内部に、メモリ１０Ａを備えている。メモリ１０Ａにおける記憶内容には、たとえば図５に表形式で模式的に示されるような、録画領域１２２に記録された番組の情報が含まれる。図５から理解されるように、メモリ１０Ａに記憶される、録画領域１２２に記録された番組の情報は、番組のタイトルと、当該番組の録画領域１２２における記録開始位置と、当該番組が記録されている時間の長さ（記録時間）とが互いに関連づけられた情報である。
【００３９】
図５に挙げられた例では、記録開始位置は、録画領域１２２の先頭位置からの時間によって記録位置を特定するものとされているが、これに限らず、録画領域１２２内のアドレスとされていてもよい。また、記録時間も、記録する長さに限定されず、記録するデータ量であってもよい。
【００４０】
なお、表５に示すような番組の情報において、番組の記録時間の代わりに、当該番組の録画領域１２２における記録終了位置が、番組のタイトル等と関連づけられていても良い。記録終了位置と記録開始位置の時間情報から、記録時間を算出することができるからである。
【００４１】
また、番組の情報には、各番組について、指定チェック欄が設けられている。後述するように、情報記録再生装置１００では、録画領域１２２に記録されているファイルの中の一部のファイルを、録画または再生のために、指定することができる（後述するステップＳ５０２）。そして、指定チェック欄は、このとき番組に対応するファイルが指定されたときに、チェックが入れられる欄である。
【００４２】
また、図５では、「ＡＡＡ」のタイトルを付された番組、および、「ＢＢＢＢ」のタイトルを付された番組を含む、複数の番組についての情報が示されている。各番組は、録画領域１２２の領域１２２Ａ，１２２Ｂ，１２２Ｃ，…１２２Ｎのいずれかにそれぞれ記録されている映像データに対応する。
【００４３】
さらに、メモリ１０Ａには、たとえば図６に表形式で模式的に示されるように、周知の技術によりなされる録画予約についての情報が記憶されている。図６から理解されるように、録画予約についての情報は、録画するチャンネル（録画チャンネル）と、録画する日（録画日）と、録画を開始する時刻（録画開始時刻）と、録画を終了する時刻（録画終了時刻）とが互いに関連付けられた状態で、セットとして記憶されている情報である。録画予約についての情報には、図６から理解されるように、録画チャンネル等からなるセットが複数が含まれていても良いし、単数のセットのみが含まれていることもある。また、ユーザにより録画予約がセットされていない場合には、図６に示されたような表に１つも録画予約についての情報が記録されていないことになる。
【００４４】
なお、録画予約についての情報として、録画を終了する時刻の代わりに、録画する時間の長さが記憶されていても良い。録画を開始する時刻と録画する時間の長さの情報とから、録画を終了する時刻を算出することができるからである。
【００４５】
ここで、情報記録生成装置１００への電源の投入が開始されてから、システム制御回路１０が実行する処理について、図７を参照しつつ説明する。図７は、システム制御回路１０が実行するメインルーチンのフローチャートである。
【００４６】
システム制御回路１０は、電源キー２２１が操作される等して、情報記録生成装置１００に電源が投入されると、Ｓ１で、タイマ２３をチェックして、現在の時刻が、メモリ１０Ａに記憶されている録画予約の録画日の録画開始時刻であるか否かを判断し、そうであれば、Ｓ２で録画予約に対応した処理（予約録画処理）を実行した後、Ｓ１に処理を戻す。一方、録画開始時刻でないと判断すれば、Ｓ３に処理を進める。なお、予約録画処理とは、録画チャンネルで指定されたチャンネルの映像データを録画領域１２２に記録する処理である。
【００４７】
Ｓ３では、システム制御回路１０は、上記したタイムシフト再生を行なうタイムシフト再生処理を実行する。なお、Ｓ３では、操作装置２２から入力されたチャンネルの変更等の情報に対応して、受信するチャンネルに対応した信号をチューナ１１に受信される等の処理を実行する。
【００４８】
次に、システム制御回路１０は、Ｓ４で、切替えキー２２０が操作されたか否かを判断する。そして、切替えキー２２０が操作されたと判断すると、Ｓ５へ処理を進める。一方、そうではないと判断すると、Ｓ６で、操作されたキーに応じた処理を行なって、Ｓ１に処理を戻す。
【００４９】
Ｓ５では、システム制御回路１０は、録画済み映像再生処理を実行して、Ｓ１に処理を戻す。
【００５０】
ここで、Ｓ５で実行される録画済み映像再生処理における、システム制御回路１０の詳細な動作を図８を参照しつつ説明する。図８は、録画済み映像再生処理のサブルーチンのフローチャートである。
【００５１】
録画済み映像再生処理では、システム制御回路１０は、まずＳ５０１で、図５に示したようなメモリ１０Ａ内の記憶内容を参照することにより、録画領域１２２に記録されたファイルの一覧を、ディスプレイ装置２００に表示させる。ファイルの一覧の表示は、録画領域１２２に記録されたすべての番組のタイトルを表示するものであってもよいし、各番組に対応する映像データの最初のフレームの画像を、サムネイル表示させてもよい。
【００５２】
次に、システム制御回路１０は、Ｓ５０２で、ユーザからの、ファイルの指定を受付ける。ユーザは、たとえば、ディスプレイ装置２００に表示されたファイルの一覧の表示を見ながら、操作装置２２を、当該ファイルの一覧と同時に表示されているカーソルを指定したいファイルに対応する位置に移動させて決定キー２２２を操作する等、適宜操作することにより、ファイルを指定する情報を情報記録再生装置１００へと入力することができる。
【００５３】
なお、Ｓ５０２において指定を受付けられるファイルは、単一であっても複数であってもよい。単一のファイルが指定された場合、当該指定されたファイルを、便宜上、録画領域１２２に記録されたＭ番目のファイルと呼ぶ。また、システム制御回路１０は、ユーザからファイルを指定する操作がなされた場合、当該指定されたファイルに対応する指定チェック欄（図５参照）にチェックを入れることにより、当該ファイルの指定を受付ける。
【００５４】
次に、システム制御回路１０は、Ｓ５０３で、操作装置２２におけるキー操作の内容をチェックする。そして、再生キー２２４が操作されたと判断するとＳ５１０へ処理を進め、録画キー２２３が操作されたと判断するとＳ５０４へ処理を進める。
【００５５】
Ｓ５０４では、システム制御回路１０は、Ｐという関数の値を１に設定する。関数Ｐは、後述するように、上書き録画を行なうために用いられる関数であり、システム制御回路１０内に予め設定されている関数である。
【００５６】
そして、システム制御回路１０は、Ｓ５０５で、図５に示したような番組の情報を参照することにより、指定チェック欄にＰ番目にチェックを入れられているファイルの、当該ファイルの録画領域１２２における記録領域の先頭位置から、チューナ１１の受信する映像データの記録を開始する。指定チェック欄にＰ番目にチェックを入れられているファイルが、図５における、Ｐ個目の選択ファイルに対応する。また、このとき録画される映像データは、直前のタイムシフト再生処理（図７のＳ３参照）で選択されていたチャンネルの映像データとされる。そして、Ｓ５０５では、Ｐ個目の選択ファイルの上書き録画が行なわれていることになる。なお、Ｓ５０５では、システム制御回路１０は、Ｐ番目の選択ファイルの上書き録画を開始した時点で、当該Ｐ番目の選択ファイルの指定チェック欄に入れられていたチェックを外す。
【００５７】
次に、Ｓ５０６で、システム制御回路１０は、Ｓ５０５でＰ個目の上書き録画が開始されてから、Ｐ個目の選択ファイルの記録時間が経過したか否かを判断する。そして、経過したと判断すると、Ｓ５０７に処理を進める。
【００５８】
Ｓ５０７では、システム制御回路１０は、図５に示した番組の情報を参照することにより、次の選択ファイル（Ｓ５０２で指定されたファイル）があるか否かを判断する。なお、この判断は、図５に示したような番組の情報のチェック欄を参照し、まだチェック欄にチェックを入れられた番組（ファイル）が残っているか否かを判断することにより行なわれる。そして、そのようなファイルが無いと判断すると、Ｓ５０９で録画動作を停止させて、処理をリターンさせる。一方、そのようなファイルが有ると判断すると、Ｓ５０８で
Ｐを「１」加算更新させて、Ｓ５０５へ処理を戻す。
【００５９】
一方、Ｓ５１０では、システム制御回路１０は、Ｍ番目のファイルを再生する。
【００６０】
そして、次に、システム制御回路１０は、現在再生させているファイル（Ｍ番目のファイル）の再生が終了したか否かを判断し、終了したと判断すると、Ｓ５１３で、録画領域１２２に次のファイルが録画されているか否かを判断する。そして、次のファイルがあると判断すると、システム制御回路１０は、Ｓ５１４で、Ｍを「１」加算更新させて、Ｓ５１０へ処理を戻す。一方、次のファイルが無いと判断すると、システム制御回路１０は、処理をリターンさせる。
【００６１】
また、Ｓ５１１で、システム制御回路１０は、現在再生させているファイルの再生がまだ終了していないと判断すると、Ｓ５１２で、停止キー２２５が操作されたか否かを判断する。そして、操作されていないと判断すると、そのままＳ５１０へ処理を戻し、操作されたと判断すると、Ｓ５１５で、ファイルの再生動作を停止させてリターンする。
【００６２】
以上説明した本実施の形態では、Ｓ５１０〜Ｓ５１５の処理により、ユーザが指定したファイル（Ｍ番目のファイル）から順に、録画領域１２２に記録されたファイルが再生される。なお、情報記録再生装置１００は、Ｓ５１０〜Ｓ５１５の処理が実行される際に複数のファイルが指定され、そして、当該Ｓ５１０〜Ｓ５１５の処理により、当該指定された複数のファイルのみを再生するように構成されるようにされてもよい。
【００６３】
また、以上説明した本実施の形態では、Ｓ５０４〜Ｓ５０９の処理によって、ユーザが指定したファイルが上書き対象のファイルとされて、録画動作が実行される。なお、ユーザが複数のファイルを指定した場合、当該複数のファイルが、Ｐという関数を用いて順に上書きされる。このときの順番は、記録領域１２２内でのアドレスの番地の値が小さいところに記録されている順であってもよいし、Ｓ５０２でユーザの指定が受付けられるとき、１つ１つ順にファイルの指定が受付けられるよう構成され、そして、このときに受け付けられた順であってもよい。
【００６４】
また、以上説明した本実施の形態では、システム制御回路１０は、当該システム制御回路１０の内部のメモリに予め記憶されたプログラムに従って、図７および図８を用いて説明したような処理を実行する。なお、図７および図８を用いて説明したような処理を実行させるプログラムは、情報記録再生装置１００に対して着脱可能に構成されるＣＤ−ＲＯＭ（compact disc read only memory）等、当該情報記録再生装置１００の外部のメモリに記録されていても良い。つまり、図９に示すように、情報記録再生装置１００は、図１に示した構成に対して、システム制御回路１０に接続されたＣＤ−ＲＯＭドライブ２４をさらに備えていても良い。この場合、当該ＣＤ−ＲＯＭドライブ２４に、図７および図８を用いて説明したような処理を実行させるプログラムを記憶させたＣＤ−ＲＯＭ２０１に挿入されることにより、システム制御回路１０は、ＣＤ−ＲＯＭ２０１に記憶されたプログラムを読込み、図７および図８を用いて説明した処理を実行する。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の一実施の形態の情報記録再生装置の構成を示す図である。
【図２】図１の操作装置の平面図である。
【図３】図１のハードディスク装置のハードディスクの記憶領域の内容を模式的に示す図である。
【図４】図１の情報記録再生装置においてタイムシフト再生が行なわれる際の、ハードディスクにおける記録位置および再生位置を模式的に示す。
【図５】図１のシステム制御部内のメモリに記憶される録画番組の情報の記憶態様の一例を模式的に示す図である。
【図６】図１のシステム制御部内のメモリに記憶される録画予約の情報の記憶態様の一例を模式的に示す図である。
【図７】図１のシステム制御部内が実行するメインルーチンのフローチャートである。
【図８】図７の録画済み映像再生処理のサブルーチンのフローチャートである。
【図９】図１に示した形態の情報記録再生装置の構成の変形例を示す図である。
【符号の説明】
【００６７】
１０  システム制御回路、１０Ａ  メモリ、１１  チューナ、１２  ハードディスク装置、１８  セレクタ、１４  ＭＰＥＧエンコーダ、１７  ＭＰＥＧデコーダ、１９  ＯＳＤ画像生成回路、２２  操作装置、２３  タイマ、２４  ＣＤ−ＲＯＭドライブ、３０  ＤＶＤ記録再生装置、３１  ＤＶＤ、１００  情報記録再生装置、１２０  ハードディスク、１２１  タイムシフト領域、１２２  録画領域、２００  ディスプレイ装置、２０１  ＣＤ−ＲＯＭ、２２０  切替えキー、２２１  電源キー、２２２  決定キー、２２３  録画キー、２２４  再生キー、２２５  停止キー、２２９  テンキー。
【図１】
2005149637.tif 000003
【図２】
2005149637.tif 000004
【図３】
2005149637.tif 000005
【図４】
2005149637.tif 000006
【図５】
2005149637.tif 000007
【図６】
2005149637.tif 000008
【図７】
2005149637.tif 000009
【図８】
2005149637.tif 000010
【図９】
2005149637.tif 000011